(57)【要約】【課題】  連続測定中に演算しようとする区間を指定できるようにする。【解決手段】  測定中に指定点入力部１３がオンされたとき、その指定点Ａ〜Ｄが指定点記憶部２１に保存される。指定した区間について演算を行なう場合は、区間選択部１５によって指定区間が選択され（例えばＡ〜Ｂ）、演算部５で指定区間の最大値などが演算される。【選択図】図１
2006349484.tif 000002
【特許請求の範囲】
【請求項１】
導入した試料を連続的に検出する検出部と、
前記検出部による測定値を記憶していく測定値記憶部と、
試料の測定途中で指定点を指定する指定点入力部と、
前記指定点入力部により指定された指定点のうちの選択された２つの指定点間の測定値を前記測定値記憶部から読み出し、その区間での測定値の平均値、最大値及び最小値のうちの少なくとも１つを演算する演算部と、を備えたことを特徴とする連続測定装置。
【請求項２】
前記指定点入力部から入力された指定点を記憶していく指定点記憶部と、
前記指定点記憶部に記憶された指定点を前記測定値記憶部に記憶された測定値とともに表示する表示部と、
前記表示部に表示された指定点から前記演算部が前記演算をする指定区間を選択して入力する区間選択部と、
をさらに備えた請求項１に記載の連続測定装置。
【請求項３】
前記演算部は前記指定点入力部により前記区間の始まりの指定点が入力され、続いてその区間の終わりの指定点が入力されると前記演算を開始する請求項１に記載の連続測定装置。
【請求項４】
前記指定点入力部は区間の始まりの指定点を入力するボタンと区間の終わりの指定点を入力するボタンを異なるボタンとして備えている請求項３に記載の連続測定装置。
【請求項５】
前記指定点入力部は区間の始まりの指定点を入力するボタンと区間の終わりの指定点を入力するボタンを共通のボタンとして備えている請求項３に記載の連続測定装置。
【請求項６】
該連続測定装置は全揮発性有機化合物測定装置である請求項１から５のいずれかに記載の連続測定装置。
【発明の詳細な説明】
【技術分野】
【０００１】
本発明は、揮発性有機化合物（ＶＯＣ）などの測定に用いる連続測定装置に関するものである。
【背景技術】
【０００２】
ＶＯＣとは、トルエン、酢酸エチル、メチルエチルケトン、２−プロパノール、ジクロロメタン、クロロベンゼンなどの揮発性有機炭素であって、大気中に排出され、又は飛散したときに気体である有機化合物をいう。
【０００３】
全揮発性有機化合物（ＴＶＯＣ）の連続測定方法としては、フレームイオン化方式（ＦＩＤ）や非分散形赤外分析方式（ＮＤＩＲ）がある。
ＦＩＤ装置の概略図を図８に示しその原理を説明する。試料ガスに水素ガスを混合して細いノズル５０に導入し、そのノズル５０の先端でフレーム５２として燃焼させる。有機物質（炭化水素）がフレーム５２に入ったときイオンを生じるので、ノズルの上部に平行板電極５４，５４を設置して電源５６から直流電圧をかけて電極５４，５４間にイオン電流を流す。このイオン電流をエレクトロメータ５８で増幅し、測定値演算制御部６０で測定ガス中の炭化水素の濃度を測定し、測定値表示部６２へ表示する（特許文献１参照。）。
【０００４】
ＮＤＩＲ装置の概略図を図９に示す。ＮＤＩＲ装置は、試料導入口３７をもつ試料導入部１２から取り込んだ試料ガスを試料前処理部３を経て赤外線ガス分析計の検出部１へ導いて差量法により測定する分析計である（非特許文献１参照。）。
差量法とは、燃焼させないサンプルガスを比較ガス、燃焼させたサンプルガスを試料ガスとした場合、比較ガスと試料ガスを透過した赤外線の吸光量の差を測定することで、比較ガス中の二酸化炭素濃度と試料ガス中の二酸化炭素濃度の差を測定するものである。
ＴＶＯＣ測定では、ＶＯＣを含有するサンプルガスを用い、比較ガスと試料ガスとの二酸化炭素濃度の差、すなわち酸化によって増加した二酸化炭素濃度を測定する。測定した二酸化炭素濃度はＴＶＯＣの酸化によって発生したものであるので、ＴＶＯＣ濃度と等しくなる。
【０００５】
試料前処理部３には、燃焼触媒を充填した燃焼炉２９、ハロゲンスクラバー３１、気液分離器３３及びポンプ３５が設けられた試料ガス流路２３と、気液分離器３３及びポンプ３５が設けられた比較ガス流路２５が備えられている。
図８，図９のＴＶＯＣ測定装置では、ＶＯＣ含有試料は試料導入口３７から導入され燃焼炉２９で燃焼され、ＶＯＣは二酸化炭素に変換される。測定が開始されると、測定ガス中の炭化水素の濃度は測定値演算制御部６０によって検出信号から測定値に変換され、測定値表示部６２に表示される。
【特許文献１】特開２００３−２０２３２４号公報
【非特許文献１】ＪＩＳ  Ｋ０１５１
【発明の開示】
【発明が解決しようとする課題】
【０００６】
ＴＶＯＣ測定を行なう環境や用途によっては測定値の傾向が大きく変動するため、連続測定を行ないながらも指定した時間（指定区間）内の測定値についての挙動を知ることが必要になる場合がある。
例えば、塗装施設においては塗装工程によってＶＯＣの発生量が異なるため、工程毎にＴＶＯＣの測定値を知る必要があるといったことがある。このような場合、従来の連続測定装置では各工程の開始時刻や終了時刻などを別に記録しておき、全測定後に、保存された一連の測定値を解析処理して工程毎の最大値や平均値などを求める必要があるため、操作がわずらわしい問題があった。
【０００７】
本発明は、測定値の演算処理を行なう指定区間を測定中に指定できるようにして操作性を向上させることのできる装置を提供することを目的とする。
【課題を解決するための手段】
【０００８】
本発明の連続測定装置は、導入した試料を連続的に検出する検出部と、検出部による測定値を記憶していく測定値記憶部と、試料の測定途中で指定点を指定する指定点入力部と、指定点入力部により指定された指定点のうちの選択された２つの指定点間の測定値を測定値記憶部から読み出し、その区間での測定値の平均値、最大値及び最小値のうちの少なくとも１つを演算する演算部とを備えている。
指定点とは、測定値を演算する区間（時間）を指定する点（時点）であり、指定区間とは２つの指定点間（指定した工程）の間である。
ここでの測定値の演算とは、平均値、最大値及び最小値の他に瞬時値や微分値などの数学的演算を含む。
【０００９】
一形態として、指定点を指定するために、指定点入力部から入力された指定点を記憶していく指定点記憶部と、指定点記憶部に記憶された指定点を測定値記憶部に記憶された測定値とともに表示する表示部と、演算部が演算をする指定区間を選択する区間選択部とをさらに備えていてもよい。
【００１０】
他の形態として、演算部は、指定点入力部により区間の始まりの指定点が入力され、続いてその区間の終わりの指定点が入力されると演算を開始するようにしてもよい。
【００１１】
その場合、指定点入力部は区間の始まりの指定点を入力するボタンと区間の終わりの指定点を入力するボタンを異なるボタンとして備えているようにしてもよいし、区間の始まりの指定点を入力するボタンと区間の終わりの指定点を入力するボタンを共通のボタンとして備えているようにしてもよい。
【００１２】
本発明の連続測定装置は例えば全揮発性有機化合物測定装置に適用することができる。
【発明の効果】
【００１３】
本発明の連続測定装置は、指定点入力部が測定途中で指定点を指定すると、演算部が２つの指定点で指定される区間での演算を行なうようにしたので、演算を行なわせる区間を別に記録しておく必要がなくなり、操作性が向上する。
【００１４】
入力された指定点を保存して表示するようにすれば、演算区間の指定が容易になる。
【００１５】
区間の始まりと区間の終わりの指定点が入力されたときに演算を開始するようにすれば、全測定の終了を待つことなく逐次演算を行なうことができるようになる。
【発明を実施するための最良の形態】
【００１６】
以下に本発明の連続測定装置として、ＮＤＩＲ装置を備えて、差量法によりＴＶＯＣを測定する一実施例を詳細に説明する。図１は装置構成を示すブロック図である。図２は同実施例の動作を説明するフローチャートである。
検出部１は導入した試料を連続的に検出するものであり、試料の燃焼等を行なう試料前処理部３と、測定値から平均値などを演算する演算部５との間に設けられている。
演算部５は演算制御処理装置であり、ボタンスイッチやキーボードなどの入力部７と、ＲＡＭやディスク装置などの記憶部９と、ＣＲＴや液晶ディスプレーなどの表示部１１とに接続されている。試料前処理部３の上流には試料導入口３７を備えた試料導入部１２が接続されている。
【００１７】
入力部７には、測定途中に指定点を指定する例えばボタンなどの指定点入力部１３と、表示部１１に表示された指定点から指定区間を選択する区間選択部１５が備えられている。入力部７はタッチパネルとして表示部１１に備えられていてもよい。
記憶部９には、連続測定の測定値を保存する測定値記憶部１７と、測定値とともに測定時間を保存する測定時間記憶部１９と、指定点入力部１３から入力された指定点を記憶していく指定点記憶部２１が備えられている。
【００１８】
試料前処理部３には、上流側から、並列に配置される試料ガス流路２３及び比較ガス流路２５が備えられている。両流路２３，２５は、その開閉を周期的に切り替える三方弁２７を介してガスが導入されるフローセル（図示は略）を備えた検出部１に接続されている。
【００１９】
試料ガス流路２３には、上流側から順に、白金などの酸化触媒を充填した燃焼管に連続して通気してＶＯＣを燃焼するための燃焼炉２９と、燃焼後のＶＯＣ含有ガスから塩化水素、フッ化水素等のハロゲン化物を除去し二酸化炭素を通過させるハロゲンスクラバー３１と、排出ガス中の水分を除去するために電気冷却器、凝縮管及びドレントラップで構成されている気液分離器３３と、ガスを吸引するためのポンプ３５とが備えられている。
また比較ガス流路２５には、気液分離器３３及びポンプ３５が備えられている。
【００２０】
このＴＶＯＣ測定装置では、ＶＯＣ含有試料は試料導入口３７から導入され燃焼炉２９で燃焼され、ＶＯＣは二酸化炭素に変換される。測定が開始されると、測定ガス中の炭化水素の濃度は演算部５によって検出信号から測定値に変換され、表示部１１に表示される。
指定点は指定点入力部１３がオンされたとき、指定点記憶部２１に保存され表示部１１に表示されていく。演算が行なわれる指定区間は２以上の指定点から区間選択部１５により選択され、演算部５で選択された指定区間の演算が行なわれる。指定区間での演算結果は表示部１１に表示される。
【００２１】
次に、図１，２及び測定結果を示す図３を参照して同実施例の動作を説明する。
ＶＯＣ含有試料が試料導入部１２から試料ガス流路２３及び比較ガス流路２５に導入される。燃焼炉２９で二酸化炭素に変換された試料ガスと二酸化炭素に変換されていない比較ガスの検出信号は、検出部１で交互に読み取られる（ステップＳ１）。検出信号は演算部５で測定値に変換され、測定値は測定値記憶部１７に保存されるとともに測定時間は測定時間記憶部１９に保存される（ステップＳ２）。測定値の最大値や最小値、瞬時値、平均値などの演算は演算部５で行なわれ、表示部１１に表示される（ステップＳ３）。
【００２２】
測定中に図３に示されるように、Ａ〜Ｄの時点で指定点入力部１３がオンされて指定点が指定された（ステップＳ４）とすると、それらの指定点Ａ，Ｂ，Ｃ，Ｄが指定点記憶部２１に保存され、表示部１１に表示される（ステップＳ５）。
【００２３】
表示部１１上の指定点が選択されて演算処理が指示されたとき（ステップＳ６）、指定点入力部１３が２回以上オンされていることを確認する（ステップＳ７）。オンされている回数が２回未満の場合は指定点入力部１３が２回以上オンされるまでは演算は行なわない。指定点入力部１３が２回以上オンされていた場合、表示部１１に表示されている指定点Ａ〜Ｄから、指定区間として例えばＡ〜Ｂが区間選択部１５によって選択される（ステップＳ８）。
【００２４】
指定区間での演算は、測定値記憶部１７と測定時間記憶部１９の結果から最大値などが演算部５で演算されて表示部１１に表示される（ステップＳ９）。区間演算は測定中に複数回行なわれることもあるし、１回も行われないこともある。またフローチャートでは測定終了後における区間演算は示されていないが、測定終了後に区間演算が行なわれることもある。測定終了としての例えばスイッチがオンされたとき、測定は終了する（ステップＳ１０）。
【００２５】
次にＮＤＩＲ装置を備えて、差量法によりＴＶＯＣを測定する他の実施例を詳細に説明する。図４は装置構成を示すブロック図である。図５は同実施例の動作を説明するフローチャートである。
検出部１、演算部５、試料前処理部３及び試料導入部１２の装置構成と接続関係は、上記一実施例と同じである。
【００２６】
入力部７には、測定途中に演算開始点を指定する例えばボタンなどの演算開始点入力部１３ａと演算終了点を指定する例えばボタンなどの演算終了点入力部１３ｂが備えられている。
記憶部９には、連続測定の測定値を保存する測定値記憶部１７と、測定値とともに測定時間を保存する測定時間記憶部１９と、演算開始点入力部１３ａ及び演算終了点入力部１３ｂから入力された指定点を記憶していく指定点記憶部２１が備えられている。
【００２７】
このＴＶＯＣ測定装置でも、ＶＯＣ含有試料は試料導入口３７から導入され燃焼炉２９で燃焼され、ＶＯＣは二酸化炭素に変換される。測定が開始されると、測定ガス中の炭化水素の濃度は演算部５によって検出信号から測定値に変換され、表示部１１に表示される。
演算開始点は演算開始点入力部１３ａがオンされたとき、指定点記憶部２１に保存される。演算終了点は演算終了点入力部１３ｂがオンされたとき、指定点記憶部２１に保存され表示部１１に表示される。
【００２８】
次に、図４及び図５を参照して同実施例の動作を説明する。
ＶＯＣ含有試料が試料導入部１２から試料ガス流路２３及び比較ガス流路２５に導入される。燃焼炉２９で二酸化炭素に変換された試料ガスと二酸化炭素に変換されていない比較ガスの検出信号が、検出部１で交互に読み取られる（ステップＳ１）。検出信号は演算部５で測定値に変換され、測定値は測定値記憶部１７に保存されるとともに、測定時間は測定時間記憶部１９に保存される（ステップＳ２）。測定値の最大値や最小値、瞬時値、平均値などの演算は演算部５で行なわれ、表示部１１に表示される（ステップＳ３）。
【００２９】
測定中に演算開始点入力部１３ａがオンされる（ステップＳ４）と開始点が指定され、その開始点が指定点記憶部２１に保存される（ステップＳ５）。
測定中に演算終了点入力部１３ｂがオンされる（ステップＳ６）と終了点が指定され、演算開始点入力部１３ａが既にオンされていることを確認する（ステップＳ７）。演算開始点入力部１３ａがオンされていない場合、オンされるまでは演算は開始されない。演算開始点入力部１３ａが既にオンされていた場合、開始点から終了点が指定区間と指定され、指定区間での最大値や最小値、瞬時値、平均値などが演算部５で演算され表示部１１に表示される（ステップＳ８）。
測定終了としての例えばスイッチがオンされたとき、測定は終了する（ステップＳ９）。
【００３０】
次にＮＤＩＲ装置を備えて、差量法によりＴＶＯＣを測定するさらに他の実施例を詳細に説明する。図６は装置構成を示すブロック図である。図７は同実施例の動作を説明するフローチャートである。
検出部１、演算部５、試料前処理部３及び試料導入部１２の装置構成と接続関係は、上記一実施例と同じである。
【００３１】
入力部７には、測定途中に演算開始点及び演算終了点を指定する、例えばボタンなどの指定点入力部１３が備えられている。
記憶部９には、連続測定の測定値を保存する測定値記憶部１７と、測定値とともに測定時間を保存する測定時間記憶部１９と、指定点入力部１３から入力された指定点を記憶していく指定点記憶部２１が備えられている。
【００３２】
このＴＶＯＣ測定装置でも、ＶＯＣ含有試料は試料導入口３７から導入され燃焼炉２９で燃焼され、ＶＯＣは二酸化炭素に変換される。測定が開始されると、測定ガス中の炭化水素の濃度は演算部５によって検出信号から測定値に変換され、表示部１１に表示される。
【００３３】
演算開始点は指定点入力部１３が１回目にオンされたとき、指定点記憶部２１に保存される。演算終了点は指定点入力部１３が２回目にオンされたとき、指定点記憶部２１に保存される。以下、同様にして指定点入力部１３の奇数回目のオンが演算開始点入力、偶数回目のオンが演算終了点入力として処理される。
指定点入力部１３の偶数回目のオンがなされると、その直前の演算開始点からその演算終了点までの指定区間の演算が演算部５で行なわれ、演算結果が表示部１１に表示される。
【００３４】
次に、図６及び図７を参照して同実施例の動作を説明する。
ＶＯＣ含有試料が試料導入部１２から試料ガス流路２３及び比較ガス流路２５に導入される。燃焼炉２９で二酸化炭素に変換された試料ガスと二酸化炭素に変換されていない比較ガスの検出信号が、検出部１で交互に読み取られる（ステップＳ１）。検出信号は演算部５で測定値に変換され、測定値は測定値記憶部１７に保存されるとともに、測定時間は測定時間記憶部１９に保存される（ステップＳ２）。測定値の最大値や最小値、瞬時値、平均値などの演算が演算部５で行なわれ、表示部１１に表示される（ステップＳ３）。
【００３５】
測定中に指定点入力部１３が１回目にオンされて演算開始点が指定されたとき、その開始点が指定点記憶部２１に保存される（ステップＳ５）。
指定点入力部１３が２回目にオンされて演算終了点が指定されたとき（ステップＳ６）、１回目にオンされた開始点から２回目にオンされた終了点までの指定区間での最大値や最小値、瞬時値、平均値などが演算部５で演算され表示部１１に表示される（ステップＳ７）。以下、指定点入力部１３による演算開始点の指定と演算終了点の指定が繰り返され、その都度演算が行なわれる。
測定終了としての例えばスイッチがオンされたとき、測定は終了する（ステップＳ８）。
【００３６】
本発明は上に説明した実施例のみに限定されるものではなく、請求項に記載の範囲内において実施することができる。
例えば、測定環境が経時変化しやすい大気環境や水質検査の用途に限らず、軌道上を移動する車に本発明の連続測定装置を取り付けた場合は、指定した移動間の測定を行なうことができる。
【産業上の利用可能性】
【００３７】
本発明は揮発性有機化合物などの測定に用いる連続測定装置に利用することができる。
【図面の簡単な説明】
【００３８】
【図１】本発明の一実施例を示すブロック図である。
【図２】同実施例の動作を説明するフローチャートである。
【図３】同実施例における表示部での表示例を示すグラフである。
【図４】他の実施例を示すブロック図である。
【図５】同実施例の動作を説明するフローチャートである。
【図６】さらに他の実施例を示すブロック図である。
【図７】同実施例の動作を説明するフローチャートである。
【図８】フレームイオン化方式を用いた全揮発性有機化合物測定装置を示すブロック図である。
【図９】非分散形赤外分析方式を用いた全揮発性有機化合物測定装置を示すブロック図である。
【符号の説明】
【００３９】
１      検出部
３      試料前処理部
５      演算部
７      入力部
９      記憶部
１１      表示部
１２      試料導入部
１３      指定点入力部
１３ａ      演算開始点入力部
１３ｂ      演算終了点入力部
１５      区間選択部
１７      測定値記憶部
１９      測定時間記憶部
２１      指定点記憶部
２３      試料ガス流路
２５      比較ガス流路
２７      三方弁
２９      燃焼炉
３１      ハロゲンスクラバー
３３      気液分離器
３５      ポンプ
３７      試料導入口
【図１】
2006349484.tif 000003
【図２】
2006349484.tif 000004
【図３】
2006349484.tif 000005
【図４】
2006349484.tif 000006
【図５】
2006349484.tif 000007
【図６】
2006349484.tif 000008
【図７】
2006349484.tif 000009
【図８】
2006349484.tif 000010
【図９】
2006349484.tif 000011